(57)【要約】    【課題】  スライド部品のスライドバーへの固定・固定の解除を簡単に行うことができ操作性の良いスライド部品を提供すること。また、スライド部品の美観を向上させること。    【解決手段】  スライドバー１上の所望の位置にて固定可能なスライドハンガー３において、スライドバー１をほぼ囲むようにしてスライドバー１に抱着される板状バネ２６と、この板状バネ２６をその径方向外側に拡開する突起１８が備えられた操作ハンドル１７とを設けた。また、板状バネ２６には、パッキン２３を取り付けた。    【選択図】    図４
2005155127.tif 000002
【特許請求の範囲】
【請求項１】
スライドバーが挿通されて該スライドバー上をスライド可能に設けられるとともに、該スライドバー上の所望の位置にて固定可能なスライド部品であって、
前記スライドバーをほぼ囲むようにして前記スライドバーに抱着される板状バネと、
該板状バネをその径方向外側に拡開する拡開手段と、
が備えられたことを特徴とするスライド部品。
【請求項２】
前記板状バネのスライドバー側面に摩擦材を備えたことを特徴とする請求項１に記載のスライド部品。
【請求項３】
前記板状バネに装着され、それぞれ軸心に沿って半割状に形成されるとともに１つの筒状となるように合わされた２つのカラーが前記板状バネに装着され、前記拡開手段には、前記２つのカラーの合わせ面に設けられた拡開部に嵌入可能に設けられた突起が備えられる操作部材が具備されることを特徴とする請求項１又は２に記載のスライド部品。
【発明の詳細な説明】
【技術分野】
【０００１】
本発明は、スライドバーが挿通されて該スライドバー上をスライド可能に設けられるとともに該スライドバー上の所望の位置にて固定可能なスライド部品に関する。
【背景技術】
【０００２】
従来、スライドバーが挿通されて該スライドバー上をスライド可能に設けられるとともに該スライドバー上の所望の位置にて固定可能なスライド部品が知られている。このようなスライド部品は、例えば、図１３に示すスライド部品７０のように、シャワーホースの先端に取り付けられたシャワーヘッドをそのフック部７２に着脱自在に支持させるなどとして、フック部７２に支持されたシャワーヘッド等をスライドバー１上の適宜の位置にスライドさせて固定して用いるものである。そして、このスライド部品７０では、固定部材７４の固定ボルト７６に対して螺着されたハンドル７８を回転させることにより、固定部材７４内に取り付けられたスライドブッシュ８０を進退させて、本体部材８２に挿通されるスライドバー１に対するパッキン８４の圧着度合いを調節して、スライドバー１に対するスライド部品７０の固定・固定の解除を行うものである（例えば、特許文献１。）。
【０００３】
【特許文献１】特開２００１−１１９１５号公報（第４頁右欄第１行から同第８行及び図２，図３，図４）
【発明の開示】
【発明が解決しようとする課題】
【０００４】
ところが、上記した従来のスライド部品７０では、ハンドル７８の回転操作によりスライド部品７０の固定・固定の解除を行わなくてはならないため、その操作が煩雑であり、また、操作のために時間がかかり、スライド部品７０の位置決めをする際の操作性が悪化していた。また、使用者が把持するハンドル７８の径が小さいとハンドル７８を回転し難くなるので、ハンドル７８の径をある程度大きくしなければならない。よって、ハンドル７８が大きくならざるを得ず、スライド部品７０の美観上好ましくない場合もあった。また、固定ボルト７６のネジ部分が露呈することによる美観上の問題もあった。
【０００５】
本発明は上記した従来のスライド部品の問題点を解消するものであり、スライド部品のスライドバーへの固定・固定の解除を簡単に行うことができ操作性の良いスライド部品を提供することを目的とする。また、スライド部品の美観を向上させることも目的とする。
【課題を解決するための手段】
【０００６】
以上の課題を解決するために、本発明の採った手段を以下に説明する。本発明の請求項１のスライド部品は、スライドバーが挿通されて該スライドバー上をスライド可能に設けられるとともに、該スライドバー上の所望の位置にて固定可能なスライド部品であって、
前記スライドバーをほぼ囲むようにして前記スライドバーに抱着される板状バネと、該板状バネをその径方向外側に拡開する拡開手段と、が備えられたことを特徴とするスライド部品である。
【０００７】
本発明は、スライドバーに抱着される板状バネにより、スライド部品をスライドバーに固定することとし、スライドバーへの固定の解除は板状バネを拡開することにより行うことができる。よって本発明によれば、スライドバーに抱着される板状バネを拡開させるだけの簡単な操作でスライドバー上でのスライド部材の位置の変更を行うことができる。また、板状バネはスライドバーに「抱着」されているので、スライドバーにその一方向からのみパッキンを押しつけるような従来のスライド部品と異なり、スライドバーの外周面の全周の多くの部位を圧着することができる。よって、スライドバーにスライド部品を安定的・確実に固定することができる。また、従来のスライド部品のようにスライドバーの一方向からのみ押しつけると、その反力により、スライド部品のスライドバーが挿通される部分（例えばスライドバーの挿通孔）が、スライドバーの軸心とは偏芯してしまいその見栄えが良くないが、本発明によれば、板状バネは抱着されているので、スライドバーの軸心から著しく偏芯することはない。
【０００８】
本発明に言う「スライド部品」は、上記の通り、スライドバーが挿通されてスライドバー上をスライド可能かつ所望の位置で固定可能な種々の水栓部品を指し、例えば、シャワーヘッド等の吐水具を着脱自在に支持可能なスライドハンガー等を例示できる。また、「板状バネ」は、スライドバーに直接、又は別の部材を介在させて間接に抱着されるものでも良く、また、スライドバーの全周に渡って抱着されるものであっても、その一部に抱着されるものであってもいずれでも良い。また、「拡開手段」は、例えば、切り欠きを有する板状バネであれば、操作部の操作によりその切り欠き部分に操作部の一部を嵌入させて強制的に開くような構成を例示できる。また、板状バネを直接拡開することとしても良く、又は他の部材を介して板状バネを拡開することとしても良い。
【０００９】
また、請求項２のスライド部品は、前記板状バネのスライドバー側面に摩擦材を備えたことを特徴とする請求項１に記載のスライド部品である。
【００１０】
本発明によれば、スライド部品をより堅固・安定的にスライドバーに固定することができる。なお、「摩擦材」としては、軟質ゴム製のパッキン等を用いることが適当であるが、これらに限られず、スライドバーに圧着されて摩擦力を生じる材質の部材であれば適宜に選択することができる。また、特に、スライドバー外周面の形状に沿うようにその圧着面を成形することとしても良い。
【００１１】
また、請求項３のスライド部品は、前記板状バネに装着され、それぞれ軸心に沿って半割状に形成されるとともに１つの筒状となるように合わされた２つのカラーが前記板状バネに装着され、前記拡開手段には、前記２つのカラーの合わせ面に設けられた拡開部に嵌入可能に設けられた突起が備えられる操作部材が具備されることを特徴とする請求項１又は２に記載のスライド部品である。
【００１２】
本発明によれば、操作部材を操作することにより、カラーの拡開部を突起によって押し開いてカラーが装着される板状バネを拡開することができる。よって、極めて簡単な構造で「拡開手段」を実現することができる。なお、「合わせ面」とは、２つのカラーが対向するいずれかの部位を言う。また、カラーは半円筒形状のものや、方形や多角形の筒状のものを半割したものでも良く、板状バネも種々の形状とすることができることは上記発明と同様である。「操作部材」は、スライド部材に押動可能に設けられたハンドルやボタンなどを例示できるが、突起以外の形状や構造について限定されるものではない。
【発明の効果】
【００１３】
本発明は上記のように構成されることにより、スライドバーへのスライド部品の固定・固定の解除を迅速に行うことができるので、その固定・固定の解除の操作性が良好となる。また、スライドバーに抱着される板状バネを用いることにより、スライド部品をスライドバーに安定的・確実に固定することができる。また、固定・固定の解除のための部材をコンパクトにすることができるのでスライド部品の美観を向上させることもできる。
【発明を実施するための最良の形態】
【００１４】
次に、本発明のスライド部品の実施の形態を図を参考にして詳細に説明する。図１に示すように、本発明に言う「スライド部品」の一例であるスライドハンガー３は、浴室の壁面に、その長手方向を浴室の上下方向に沿わせて配設された中空円筒棒状のスライドバー１に挿通され、このスライドバー１に沿ってスライド自在かつ回動自在に設けられるとともに、スライドバー１上の所望の位置で固定することが可能であり、そのフック部５に着脱自在に支持されるシャワーヘッドの高さ及び向きを適宜に変更することにより、使用者が所望する高さ・向きにシャワーヘッドの位置を変更したり、身長差のある多数の使用者が使用するシャワーの場合にはそれぞれの使用者に適切な高さにシャワーヘッドを位置させたりすることができるように設けられているものである。
【００１５】
スライドハンガー３は、その本体１２が、側面から見て先端にかけてやや前方側（図１の右側）に緩やかに湾曲して形成されており、その先端には、上記したフック部５が取り付けられている。このフック部５は、本体１２の先端に対して回動自在に取り付けられており、支持されるシャワーヘッドの向きを本体１２の先端に対して変え、シャワーヘッドからの散水の向きを変えることもできるように設けられている。
【００１６】
次いで、本体１２について説明する。図１及び図２に示すように、本体１２は、上記したようにその先端部１４が側面から見て先端にかけてやや前方側に緩やかに湾曲して形成されるとともに、基端側の基端部１６は、スライドバー１よりも大径の円筒形状に形成されている。そして、上記したスライドバー１は概ねこの基端部１６内に挿通されている。また、基端部１６の正面側には、スライドバー１に対してスライドハンガー３をスライド自在、又はスライド不能のいずれかとなるように操作するための「操作部材」の一例である操作ハンドル１７が取り付けられている。また、基端部１６の下端外周面には、雄ねじ部１５が設けられている。また、先端部１４の上面にはスライドバー１を挿通させる挿通孔９が開口された上部カバー７が取り付けられている。
【００１７】
また、図２乃至図４に示すように、基端部１６の内部には、第１カラー２０、第２カラー２２、パッキン２３及び板状バネ２６が備えられている。第１カラー２０及び第２カラー２２は、円筒をその軸心に沿って半割した形状にそれぞれ形成されている。図２及び図４に示すように、両カラー２０，２２には、その対向面２１の上下の正面側及び背面側のそれぞれ相手側のカラーの対応する位置に、当接片２８が設けられており、両カラー２０，２２が組み付けられる際には、対向面２１とともにこれらの当接片２８がそれぞれ当接して合わされる。また、図示は省略するが、第１カラー２０の当接片２８には取付孔がそれぞれ設けられており、図２に示すように、第２カラー２２側の当接片２８に第１カラー２０側の当接片２８に向けて突設された取付突起２９が、第１カラー２０側の当接片２８の取付孔にそれぞれ嵌合されて、両カラー２０，２２が組み付けられている。そして、両カラー２０，２２を組み付けると１つのほぼ円筒状の部材をなし、その内側にはスライドバー１を挿通させることができる。
【００１８】
また、カラー２０，２２の長手方向ほぼ中央付近には、背面側から正面側にかけて延設されるほぼ方形状の抱着部４２がそれぞれ突設されている。これらの抱着部４２は組み付けられた両カラー２０，２２の軸心を挟んでほぼ対向する位置に配設されている。また、抱着部４２には、後述するパッキン２３が取り付けられる取付孔４０が開設されている。この取付孔４０はパッキン２３の外周縁に沿う形状に開設されており、パッキン２３は、その圧着部２４の外周に周設された段部２５が抱着部４２外側から取付孔４０の外周縁に係止されて抱着部４２に取り付けられている。そして、パッキン２３の圧着部２４がカラー２０，２２の内側に露呈されている。また、抱着部４２は上記したように両カラー２０，２２の背面側から突設されて設けられており、両カラー２０，２２の本体３０に対してその背面側を支点にして揺動が可能に設けられ、拡開部３４が拡開可能となるように設けられている。
【００１９】
また、それぞれの抱着部４２の両カラー２０、２２の正面側には、それぞれ対向するように、突片３２がそれぞれ設けられている。これらの突片３２の先端には、スライドハンガー３の径方向内側に向けて両カラー２０，２２の対向面２１方向に傾斜する傾斜面３１が備えられた突設片３３がそれぞれ向き合うように設けられている。そして、両カラー２０，２２を組み付けた際には、両突設片３３が向き合うとともにそれぞれの傾斜面３１が向き合うことにより、スライドハンガー３径方向内側に向けて幅狭となる拡開部３４が構成される。
【００２０】
また、両カラー２０，２２の下方寄りには、後述する操作ハンドル１７の取付突起３６が軸着される取付孔３８がそれぞれ設けられている。また、両カラー２０，２２の下部には、２条のフランジ４４，４６がそれぞれ周設されており、両カラー２０，２２の下部は、このフランジ４４，４６により変形し難く設けられている。また、本体１２内に両カラー２０，２２が組み付けられた状態では、本体１２内周面にフランジ４４，４６外周縁が近接されることにより、両カラー２０，２２内にスライドバー１が挿通された状態でスライドハンガー３に強い力が加わった際にはフランジ４４，４６が本体１２内周面に当接して両カラー２０，２２下部の変形を防止し、スライドハンガー３自体の変形を防止する。
【００２１】
また、図４に示すように、下端側に設けられるフランジ４６のうち取付孔３８が設けられる部位の直下の部位は切り欠かれ、図３にも示すように、上方のフランジ４４の真下から下方に向けて突設された舌状弾性片４８が両カラー２０，２２の下端にまでそれぞれ延設されている。そしてまた、これらの舌状弾性片４８の先端であって、両カラー２０，２２の外側面には、それぞれ係合突状５０が設けられている。
【００２２】
図４に示すように、ほぼ方形のシート状のパッキン２３はスライドバー１の外周面の周方向に沿うように横断面が円弧状に形成されており、また、その外周縁に周設された段部２５と、両カラー２０，２２の内側に設けられるとともにスライドバー１の外周面に圧着される圧着面２４とが備えられ、上記したように段部２５が両カラー２０，２２の取付孔４０の外周縁に係止されて抱着部４２に取り付けられている。
【００２３】
板状バネ２６は、その全体形状が、正面側にその軸心方向に沿って切り欠き２７が形成されたほぼ円筒状に形成されている。そして、組み付けられた両カラー２０，２２のそれぞれの抱着部４２に、その外周側から巻き付けられるようにして取り付けられている。また、板状バネ２６の内径は、両カラー２０，２２を組み付けた際の抱着部４２の外径よりも若干小径に形成されており、板状バネ２６を抱着部４２に取り付けられた際には、両カラー２０，２２を径方向内側に付勢して、両カラー２０，２２の組付状態の保持を確実ならしめるとともに、取付孔４０に取り付けられた両パッキン２３を両カラー２０，２２内側に向けて付勢する。
【００２４】
操作ハンドル１７は全体がほぼ舌片状に形成されており、上記したように、その基端側の左右には、取付部１９がそれぞれ突設されている。取付部１９には、その先端外側に取付突起３６が形成されており、それぞれの取付突起３６が、上記した両カラー２０，２２の取付孔３８に軸着されて取り付けられている。そして、操作ハンドル１７は、これらの取付突起３６を支点として、両カラー２０，２２の正面側に、揺動自在に取り付けられている。また、図５に示すように、操作ハンドル１７の裏側、すなわち両カラー２０，２２側には、横断面三角形状のクサビ状の突起１８が設けられており、この突起１８は、操作ハンドル１７が両カラー２０，２２に取り付けられた状態において、両カラー２０，２２側の拡開部３４に向き合う位置に設けられている。
【００２５】
このように、図２及び図５に示すように、操作ハンドル１７を押動しない状態では、板状バネ２６により内方に付勢されるパッキン２３がスライドバー１に圧着されて、スライドハンガー３がスライドバー１に固定される。一方、図６及び図７に示すように、操作ハンドル１７をスライドハンガー３内側に向けて押し込むように押動操作すると、揺動する操作ハンドル１７に伴い突起１８が拡開部３４奥側に嵌入され、拡開部３４を押し開くように構成されている。そして、拡開部３４が押し開かれるとともに、両カラー２０，２２の抱着部４２も拡径するように押し開かれ、これにより、取付孔４０に装着されたパッキン２３のスライドバー１への圧着が解除されてスライドハンガー３のスライドが可能となる。また、操作ハンドル１７への押動操作の力を弱めれば、板状バネ２６の付勢力により、操作ハンドル１７は両傾斜面３１に沿って拡開部３４手前側に押し出され元の状態に迅速に戻る。このように、本スライドハンガー３では、操作ハンドル１７の押動操作によりスライドバー１への固定が瞬時に解除され、また操作ハンドル１７の押動操作を停止すればスライドバー１への固定が瞬時になされる。
【００２６】
また、図１乃至図３、図８及び図９に示すように、本体１２下端には、リング部材５４が固定されている。リング部材５４は、外径が本体１２の基端部１６の下端とほぼ同径の有底円筒状に形成されている。また、図８に示すように、リング部材５４の開口内周面には、基端部１６の雄ねじ部１５に螺着可能な雌ねじ部５６が設けられている。また、リング部材５４の底部５８内側には係合フランジ６０が周設されている。この係合フランジ６０の内径は、両カラー２０，２２が組み付けられた状態において両カラー２０，２２の舌状弾性片４８に設けられた係合突条５０先端間の間隔よりも小さく設けられており、両カラー２０，２２及びリング部材５４が本体１２に取り付けられた状態では係合突条５０と係合フランジ６０が係合されるように設けられている。よって、リング部材５４は、本体１２の雄ねじ部１５に螺着され、さらに雄ねじ部１５の奥端までねじ込まれた状態において、係合突条５０によりその係合フランジ６０が係合固定される。よって、リング部材５４の組み付け後に、例えば振動等により雄ねじ部１５に対するねじ込みが多少緩んだとしても、係合突条５０によりその係合フランジ６０が係合されているので、リング部材５４が本体から分離してしまうようなことは無い。
【００２７】
このように構成されたスライドハンガー３は、図４に示すように、両カラー２０，２２を組み合わせ、それぞれの取付孔４０にパッキン２３を取り付けた後に板状バネ２６を抱着部４２に取り付ける。そして、さらに操作ハンドル１７の取付突起３６を両カラー２０，２２の取付孔３８に取り付ける。そして、このように組み付けたこれらの両カラー２０，２２、パッキン２３、板状バネ２６及び操作ハンドル１７を本体１２の基端部１６内にその下部から挿通する。なお、基端部１６下部には、図２に示すように、下方に向けて開放された切り欠き１３が設けられており、本体１２内に取り付けられた状態においても操作ハンドル１７はこの切り欠き１３から本体１２外側に突設される。そして、本体１２の先端部１４の上側に上部カバー７を取り付ける。そして最後に、基端部１６の下端にリング部材５４を固定する。そして、このように組み付けられたスライドハンガー３を、図１乃至図３に示すように、スライドバー１に挿通させ、スライドバー１上の所望の位置において固定して使用する。
【００２８】
本スライドハンガー３は上記のように、スライドバー１の外周面に沿ったパッキン２３が用いられ、また、スライドバー１の外周面の全周にほぼ沿った抱着部４２が設けられて、板状バネ２６がこの抱着部４２をほぼ囲うように抱着されているので、パッキン２３をスライドバー１に十分に圧着することができ、スライドハンガー３への固定を確実に行うことができる。また、操作ハンドル１７以外では、スライドバー１に抱着される板状バネ２６や両カラー２０，２２等のみでスライドバー１への固定を行うことができるので、従来のスライド部品のようにねじ込み用の回転ハンドルのような大がかりな部品を必要とせず、スライドハンガー３をコンパクトにすることもできる。また、いずれか一方の側からのみパッキンが圧着されるスライド部品では、パッキンを押しつける力の反力により、スライドバー１の軸心に対してスライド部品が位置ズレを起こし、スライドバー１の軸心とスライド部品の挿通孔等の中心とがずれて見栄えが良くないが、本スライドハンガー３ではパッキン２３がスライドバー１の軸心を挟んでほぼ対向する位置に配設され、抱着される板状バネ２６によりスライドバー１を挟み込むようにしてスライドバー１に圧着されるので、スライドバー１の軸心とスライドハンガー３の挿通孔９との中心とが大きくずれることはなく、その美観が損なわれることはない。
【００２９】
なお、本発明は上記した実施の形態に限られるものではなく、本発明の趣旨の範囲内で種々の変更が可能である。例えば、本発明のスライド部品は、円筒状（楕円形等も含む）のスライドバーに限らず、断面方形や断面多角形など筒状のスライドバーや、角柱状のスライドバーに適用することとしても良い。また、「板状バネ」や「カラー」も、スライドバーに抱着可能であれば、円形、方形、多角形などとすることもできる。例えば、板状バネ２６は図１０に示すように、ほぼコ字状の横断面形状とすることもできる。このようにして、スライド部品やスライドバーの形状に合わせて板状バネ、カラー、パッキン等の形状を種々の形状に変更することができる。また、板状バネが断面多角形等の場合には、例えば、少なくともその対向する２辺に沿った抱着部を有する形状として、板状バネの一部の部位のみがスライドバーに抱着するような形状とすることもできる（例えば、スライドバーが断面正６角形であり、板状バネは断面コ字状とされて、板状バネはスライドバーの対向する２面に抱着可能とされているものを例示できる。）。
【００３０】
また、「拡開部」は操作ハンドル１７等の「操作部材」によって拡開可能な形状であれば上記した拡開部３４に限られず種々の形状とすることができる。また、「操作部材」は操作ハンドル１７のように揺動可能に取り付けられるものに限らず、本体に没入・突出自在に取り付けられる「ボタン」のような部材等でも良い。また、「摩擦材」は、通常用いられるパッキン等に限られず、摩擦面を有する種々の材質のものを用いることができる。例えば、合成樹脂製の部材を摩擦材として直接スライドバー１に圧着させることも可能である。
【００３１】
また、本実施の形態では、両カラー２０，２２の外側面に板状バネ２６を取り付ける例を示したが、両カラー２０，２２の内側面に板状バネ２６を取り付けることとしても良い。この場合には、板状バネ２６にもパッキン２３を露呈させる取付孔を開設するとともに、板状バネ２６がスライドバー１側に付勢されて縮径される場合に、パッキン２３がスライドバー１に十分に圧着されるようにするために、パッキン２３が取り付けられる抱着部４２に板状バネ２６を堅固に取り付けることが望ましい。また、本実施の形態とは異なり、パッキン２３を板状バネ２６に直接取り付ける事としても良い。また、板状バネ２６に直接拡開部を設けることとしても良い。
【００３２】
また、請求項１又は２のスライド部品では、板状バネは、上記実施の形態の板状バネ２６のようにスライドバー１へスライドハンガー３が固定される状態でスライドバー１側に付勢されるように調整されたものを用いることに限られず、図１１に示すように、通常時にはスライドバー１から離隔するように付勢調節された板状バネ２６を、その付勢力に抗して拡開部３４を閉じるようにする挟着部６２を操作ハンドル１７に設け（この例では、挟着部６２を設けるとともに、操作ハンドル１７を別のバネによってスライドハンガー３正面側に揺動するように付勢しておく）、図１２に示すように、操作ハンドル１７を押し込んだときには、拡開部３４が挟着部６２から開放されて板状バネ２６の付勢力により、拡開部３４が開くように構成してもよい。
【００３３】
また、カラー２０，２２は完全に別体に分割されたものを用いたが、請求項１又は２ではこれに限られず、拡開部３４が設けられる側（本例では正面側）と反対側においては両カラー２０，２２が連設されるとともに拡開部３４側においては分割されているものであっても、拡開部３４側が拡開可能であれば良い。あるいは、カラーの製造上支障が無く、また、スライドハンガー３本体内への組付が問題とならなければ、両カラー２０，２２を一体化したものとすることもできる。この場合においては、本例のようにパッキン２３及び板状バネ２６が取り付けられる抱着部４２をカラーの本体３０に対して揺動自在に突設するなどとし、拡開部３４については拡開可能に設けることにより、スライドバー１への固定・固定解除を行うことができる。
【図面の簡単な説明】
【００３４】
【図１】本発明のスライド部品の側面図である。
【図２】図１のスライド部品の側面視一部縦断面図である。
【図３】図１のスライド部品の正面視一部縦断面図である。
【図４】カラー、パッキン、板状バネ及び操作ハンドルの分解斜視図である。
【図５】操作ハンドルを押動操作していない状態のスライド部品の横断面図である。
【図６】操作ハンドルを押動操作した状態のスライド部品の側面視縦断面図である。
【図７】操作ハンドルを押動操作した状態のスライド部品の横断面図である。
【図８】スライド部品の本体の下部とリング部材の分解斜視図である。
【図９】スライドバーを挿通する前であってリング部材を本体に組み付ける際のスライド部品及びスライドバーの背面視一部破断面図である。
【図１０】別のスライド部品の横断面図である。
【図１１】さらに別のスライド部品の操作ハンドルを押動操作していない状態の横断面図である。
【図１２】図１１のスライド部品の操作ハンドルを押動操作した状態の横断面図である。
【図１３】従来のスライド部品の縦断面図である。
【符号の説明】
【００３５】
１；スライドバー、３；スライドハンガー、５；フック部、７；上部カバー、９；挿通孔、１２；本体、１３；切り欠き、１４；先端部、１５；雄ねじ部、１６；基端部、１７；操作ハンドル、１８；突起、１９；取付部、２０；第１カラー、２１；対向面、２２；第２カラー、２３；パッキン、２４；圧着面、２５；段部、２６；板状バネ、２７；切り欠き、２８；当接片、２９；取付突起、３０；本体、３１；傾斜面、３２；突片、３３；突設片、３４；拡開部、３６；取付突起、３８；取付孔、４０；取付孔、４２；抱着部、４４，４６；フランジ、４８；舌状弾性片、５０；係合突状、５４；リング部材、５６；雌ねじ部、５８；底部、６０；係合フランジ、６２；挟着部、７０；スライド部品、７２；フック部、７４；固定部材、７６；固定ボルト、７８；ハンドル、８０；スライドブッシュ、８２；本体部材、８４；パッキン。
【図１】
2005155127.tif 000003
【図２】
2005155127.tif 000004
【図３】
2005155127.tif 000005
【図４】
2005155127.tif 000006
【図５】
2005155127.tif 000007
【図６】
2005155127.tif 000008
【図７】
2005155127.tif 000009
【図８】
2005155127.tif 000010
【図９】
2005155127.tif 000011
【図１０】
2005155127.tif 000012
【図１１】
2005155127.tif 000013
【図１２】
2005155127.tif 000014
【図１３】
2005155127.tif 000015